Podtech/llm-jp-corpus-v4-ja_patent huggingface dataset:
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
ロール紙に印刷を行う印刷装置であって、
制御回路を備える第１基板と、
電源回路を備える第２基板と、
前記ロール紙を収納するロール紙収納部と、を備え、
前記ロール紙収納部の少なくとも一部は、前記第１基板と、前記第２基板との間に、挟まれて設けられる
ことを特徴とする印刷装置。
【請求項２】
請求項１において、
前記印刷装置は、略直方体の筐体を備え、
前記第１基板は、前記筐体の第１の角の周辺領域に設けられ、前記第２基板は、前記第１の角と対角をなす第２の角の周辺領域に設けられる
ことを特徴とする印刷装置。
【請求項３】
請求項１において、
前記印刷装置は、略直方体の筐体を備え、
前記第１基板は、前記筐体の第１の面の周辺領域に設けられ、前記第２基板は、前記第１の面と対面をなす第２の面の周辺領域に設けられる
ことを特徴とする印刷装置。
【請求項４】
請求項１乃至３のいずれか１項において、
前記第２基板は、周辺機器と接続するためのコネクター部を備える
ことを特徴とする印刷装置。
【請求項５】
請求項４において、
前記コネクター部は、キャッシュドロアー接続用である
ことを特徴とする印刷装置。
【請求項６】
請求項１乃至５のいずれか１項において、
前記第１基板は、少なくとも、ＣＰＵ、メモリー、及び、インターフェースを制御するＩＣのいずれか一つを備える
ことを特徴とする印刷装置。
【請求項７】
請求項１乃至６のいずれか１項において、
前記印刷装置は、設置角度を変更可能である
ことを特徴とする印刷装置。
【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
以下の数式（１）の条件を満たし、かつ室温下の単位長さあたりのタック値が３Ｎ／ｃｍ以上である接着フィルムを−４０〜１０℃の温度環境下で切断する、接着フィルムの切断方法。
ｙ≦−０．２７ｘ＋１１．４      （１）
数式（１）において、ｘは前記接着フィルムのガラス転移点（℃）であり、ｙは前記接着フィルムの室温下の単位長さあたりのタック値（Ｎ／ｃｍ）である。
【請求項２】
前記接着フィルムのタック値は、１０Ｎ／ｃｍ以下である、請求項１記載の接着フィルムの切断方法。
【請求項３】
前記接着フィルムを幅１ｍｍ未満で切断する、請求項１または２記載の接着フィルムの切断方法。
【請求項４】
前記接着フィルムを切断する切断刃を冷却しながら前記接着フィルムを切断する、請求項１〜３の何れか１項に記載の接着フィルムの切断方法。
【請求項５】
前記接着フィルムを切断する切断刃を超音波振動させながら前記接着フィルムを切断する、請求項１〜４の何れか１項に記載の接着フィルムの切断方法。
【請求項６】
以下の数式（１）の条件を満たし、室温下のタック値が３Ｎ／ｃｍ以上であり、かつ幅が１ｍｍ未満である、接着フィルム。
ｙ≦−０．２７ｘ＋１１．４      （１）
数式（１）において、ｘは前記接着フィルムのガラス転移点（℃）であり、ｙは前記接着フィルムのタック値（Ｎ／ｃｍ）である。
【請求項７】
前記接着フィルムは導電粒子を含む、請求項６記載の接着フィルム。
【請求項８】
請求項６または７に記載の接着フィルムを含む、巻装体。
【請求項９】
複数の電子部品が請求項６または７に記載の接着フィルムを介して接続された、接続構造体。
【請求項１０】
複数の電子部品を、請求項６または７に記載の接着フィルムを介して積層し、圧着する工程を含む、接続構造体の製造方法。
【手続補正２】
【補正対象書類名】明細書
【補正対象項目名】００１２
【補正方法】変更
【補正の内容】
【００１２】
上記課題を解決するために、本発明のある観点によれば、以下の数式（１）の条件を満たし、かつ室温下の単位長さあたりのタック値が３Ｎ／ｃｍ以上である接着フィルムを−４０〜１０℃の温度環境下で切断する、接着フィルムの切断方法が提供される。
ｙ≦−０．２７ｘ＋１１．４      （１）
数式（１）において、ｘは接着フィルムのガラス転移点（℃）であり、ｙは接着フィルムの室温下の単位長さあたりのタック値（Ｎ／ｃｍ）である。
【手続補正３】
【補正対象書類名】明細書
【補正対象項目名】００２０
【補正方法】変更
【補正の内容】
【００２０】
以上説明したように本発明によれば、ガラス転移点が低く、品質が高く、かつ幅が１ｍｍ未満である接着フィルムを作製することが可能となる。
【手続補正４】
【補正対象書類名】明細書
【補正対象項目名】００４６
【補正方法】変更
【補正の内容】
【００４６】
また、接着フィルムは、基材フィルム上に形成されたものであってもよい。また、基材フィルム上には離型剤を介して接着フィルムを形成してもよい。これにより、接着フィルムが基材フィルムから剥がれやすくなる。例えば、接着フィルムのタック値が１０Ｎ／ｃｍより大きくても、接着フィルムが基材フィルムから剥がれやすくなる。また、接着フィルムは、保護フィルムによって被覆されていても良い。基材フィルム及び保護フィルムは、接着フィルムの使用時に剥離される。
【手続補正５】
【補正対象書類名】明細書
【補正対象項目名】００４７
【補正方法】変更
【補正の内容】
【００４７】
また、接着フィルムは、多層構造であってもよい。例えば、接着フィルムの下層を導電粒子含有層（いわゆるＡ層）とし、接着フィルムの上層を導電粒子が含まれない層（いわゆるＮ層）としてもよい。なお、接着フィルムが多層構造になる場合のタック値及びガラス転移点は、各層の材料と同じ成分を有し、かつ、各成分の配合比率（例えば、質量部）が、各層の配合比率の合計値となる単一層の接着フィルムのタック値及びガラス転移点に略一致する。
【手続補正書】
【提出日】平成31年1月29日(2019.1.29)
【手続補正１】
【補正対象書類名】明細書
【補正対象項目名】００１５
【補正方法】変更
【補正の内容】
【００１５】  図中、１は重ねた硬度の異なる金属板の穴明け用ドリルである。また、該穴明け用ドリル１は、シャンク３と、該シャンク３から先端の切刃４までの切刃部５とからなり、前記切刃部５の切刃４を４枚となすと共に、該切刃４の刃先角を９０°となし、更にその外周面にねじれ角２５度のねじれ溝６を設けたドリル本体２と、該ドリル本体２より小径で、該ドリル本体２における前記切刃部５の先端中央部に該ドリル本体２と同心に突設する、外周に前記ドリル本体２のねじれ溝６に連なるねじれ溝８を設けた円柱状パイロット部７とからなることを特徴とするものである。尚、本実施形態においては、前記円柱状パイロット部７の長さを、穴明け用ドリル１による切削を始める側の金属板の厚みと一致させている。
【手続補正書】
【提出日】平成31年3月27日(2019.3.27)
【手続補正１】
【補正対象書類名】明細書
【補正対象項目名】発明の名称
【補正方法】変更
【補正の内容】
【発明の名称】検査方法
【手続補正２】
【補正対象書類名】特許請求の範囲
【補正対象項目名】全文
【補正方法】変更
【補正の内容】
【特許請求の範囲】
【請求項１】
回路を有し、
前記回路は第１のトランジスタと、容量素子と、保持ノードと、第１の配線とを有し、
前記第１のトランジスタのソース又はドレインの一方は、前記第１の配線に電気的に接続され、
前記第１のトランジスタのソース又はドレインの他方は、前記保持ノードに電気的に接続され、
前記容量素子の第１の電極は、前記保持ノードに電気的に接続される半導体装置の検査方法であって、
第１の書き込み動作により前記回路に第１の電位を書き込む第１のステップと、
前記第１のステップを実行した前記回路に対して第１の読み出し動作を行い、前記第１の配線の電位ＶＷＢＬ１を取得する第２のステップと、
第２の書き込み動作により前記回路に第２の電位を書き込む第３のステップと、
前記第３のステップを実行した前記回路に対して第２の読み出し動作を行い、前記第１の配線の電位ＶＷＢＬ２を取得する第４のステップと、
前記第１のトランジスタのしきい値電圧Ｖｔｈを算出する第５のステップと、を有し、
前記第１の書き込み動作は、
前記第１の配線に電位ＶＷＢを与える第６のステップと、
前記第６のステップの後に、前記第１のトランジスタのゲートに電位ＶＧＭ１を与えて、前記第１の配線と前記保持ノードとの間を導通状態にする第７のステップと、
前記第７のステップの後に、前記第１のトランジスタを非導通状態にして、前記保持ノードを電気的に浮遊状態にする第８のステップと、を有し、
前記第２の書き込み動作は、
前記第１の配線に前記電位ＶＷＢを与える第９のステップと、
前記第９のステップの後に、前記第１のトランジスタのゲートに電位ＶＧＭ２を与えて、前記第１の配線と前記保持ノードとの間を導通状態にする第１０のステップと、
前記１０のステップの後に、前記第１のトランジスタを非導通状態にして、前記保持ノードを電気的に浮遊状態する第１１のステップと、を有し、
前記第１の読み出し動作及び第２の読み出し動作のそれぞれは、
前記第１の配線を第３の電位にプリチャージする第１２のステップと、
前記第１の配線を電気的に浮遊状態にする第１３のステップと、
前記第１のトランジスタをオンにして、前記第１の配線と前記保持ノードとの間を導通状態にする第１４のステップと、を有し、
前記電位ＶＧＭ１、及び前記電位ＶＧＭ２は下記式（ａ１）の関係を満たし、
前記第５のステップは、下記式（ａ２）により前記しきい値電圧Ｖｔｈを算出するステップを有する検査方法。
ＶＧＭ１  ＞  ＶＷＢ＋Ｖｔｈ  ＞  ＶＧＭ２              （ａ１）
ＶＷＢＬ２／ＶＷＢＬ１  ＝（ＶＷＢ−Ｖｔｈ）／ＶＷＢ    （ａ２）
【請求項２】
請求項１において、
前記第１のトランジスタは、チャネル形成領域に酸化物半導体を有する検査方法。
【請求項３】
請求項１又は請求項２において、
前記回路は、第２のトランジスタを有し、
前記第２のトランジスタのゲートは、前記保持ノードに電気的に接続され、
前記第２のトランジスタのソース又はドレインの一方は、前記第１の配線と電気的に接続されている検査方法。
【請求項４】
請求項１又は請求項２において、
前記回路は、第２のトランジスタと、第２の配線と、を有し、
前記第２のトランジスタのゲートは、前記保持ノードに電気的に接続され、
前記第２のトランジスタのソース又はドレインの一方は、前記第２の配線と電気的に接続されている検査方法。
【請求項５】
請求項１又は請求項２において、
前記回路は、第２のトランジスタと、第３のトランジスタと、を有し、
前記第２のトランジスタのゲートは、前記保持ノードに電気的に接続され、
前記第３のトランジスタのソース又はドレインの一方は、前記第２のトランジスタのソース又はドレインの一方と電気的に接続され、
前記第３のトランジスタのソース又はドレインの他方は、前記第１の配線と電気的に接続されている検査方法。
【請求項６】
請求項１又は請求項２において、
前記回路は、第２のトランジスタと、第３のトランジスタと、第２の配線と、を有し、
前記第２のトランジスタのゲートは、前記保持ノードに電気的に接続され、
前記第３のトランジスタのソース又はドレインの一方は、前記第２のトランジスタのソース又はドレインの一方と電気的に接続され、
前記第３のトランジスタのソース又はドレインの他方は、前記第２の配線と電気的に接続されている検査方法。
【請求項７】
請求項４又は請求項５において、
前記第２のトランジスタは、チャネル形成領域に単結晶シリコンを有する検査方法。
【請求項８】
請求項６又は請求項７において、
前記第２のトランジスタ及び前記第３のトランジスタは、チャネル形成領域に単結晶シリコンを有する検査方法。
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
パターンが形成されたパターン面を有するモールドを用いて、基板に形成されたショット領域上のインプリント材にパターンを形成するインプリント装置であって、
前記モールドを保持し、前記モールドの位置および姿勢を変更可能に構成された保持部と、
前記モールドのパターン面と前記ショット領域とを対向させた後、前記基板の面の傾きに応じて前記基板の面と前記パターン面とが平行になるように前記保持部に前記モールドを傾けさせ、前記モールドを傾けた状態で前記モールドと前記インプリント材とを接触させる制御部と、
を含み、
前記制御部は、前記モールドを傾けることにより前記モールド上のマークが、前記モールドと前記インプリント材とを接触させる第１方向と垂直な第２方向にシフトするシフト量を求め、前記モールドと前記基板との前記第２方向における相対位置を前記シフト量に従って変更した後で前記モールドと前記インプリント材とを接触させる、ことを特徴とするインプリント装置。
【請求項２】
前記制御部は、前記モールドと前記インプリント材とが接触した状態において、前記モールドを傾けたまま前記モールドと前記基板との位置合わせを行う、ことを特徴とする請求項１に記載のインプリント装置。
【請求項３】
前記制御部は、前記モールドの傾斜角に基づいて前記モールド上のマークのシフト量を求める、ことを特徴とする請求項１又は２に記載のインプリント装置。
【請求項４】
前記パターン面を前記基板に向かって撓んだ凸形状に変形させる変形部を更に含み、
前記制御部は、前記変形部により前記パターン面を変形させた状態で前記モールドを傾けることにより前記モールド上のマークが前記第２方向に沿ってシフトする量を前記シフト量として求める、ことを特徴とする請求項１乃至３のうちいずれか１項に記載のインプリント装置。
【請求項５】
前記保持部は、回転軸を中心に前記モールドを傾け、
前記制御部は、前記モールドを傾ける角度、および前記モールドを傾ける前であって前記パターン面が変形した状態における前記回転軸と前記モールド上のマークとの前記第１方向の距離を用いて前記シフト量を求める、ことを特徴とする請求項４に記載のインプリント装置。
【請求項６】
前記変形部は、前記モールドと前記保持部との間の空間の圧力を変化させることにより前記パターン面を変形させ、
前記制御部は、前記空間の圧力値と前記モールド上のマークの前記第１方向への変位量との関係を表す情報を用いて前記距離を求める、ことを特徴とする請求項５に記載のインプリント装置。
【請求項７】
前記第１方向における前記パターン面の位置を計測する計測部を更に含み、
前記制御部は、前記変形部により前記パターン面を変形させる前および変形させた後のそれぞれにおいて前記計測部に前記パターン面の位置を計測させ、それらの計測結果を用いて前記距離を求める、ことを特徴とする請求項５に記載のインプリント装置。
【請求項８】
パターンが形成されたパターン面を有するモールドを用いて、基板に形成されたショット領域上のインプリント材を成形するインプリント装置であって、
前記モールドを保持し、前記モールドの位置および姿勢を変更可能に構成された保持部と、
前記パターン面を基板に向かって撓んだ凸形状に変形させる変形部と、
前記パターン面の下方に前記ショット領域を配置した後、前記変形部によって前記パターン面を変形した状態で前記モールドと前記インプリント材との接触を開始する制御部と、
を含み、
前記制御部は、
前記ショット領域の目標箇所から前記モールドと前記インプリント材との接触が開始されるように前記保持部に前記モールドを傾けさせ、
前記モールドを傾けることにより、前記目標箇所に転写すべきパターンが形成された前記パターン面の箇所が、前記モールドを前記インプリント材に接触させる第１方向と垂直な第２方向にシフトするシフト量を求め、
前記モールドと前記基板との前記第２方向における相対位置を前記シフト量に従って変更した後で前記モールドと前記インプリント材とを接触させる、ことを特徴とするインプリント装置。
【請求項９】
前記ショット領域は、前記基板の周辺部に配置されて前記モールドのパターンの一部のみが転写される欠けショット領域を含む、ことを特徴とする請求項８に記載のインプリント装置。
【請求項１０】
前記目標箇所は、前記欠けショット領域の重心を含む、ことを特徴とする請求項９に記載のインプリント装置。
【請求項１１】
請求項１乃至１０のうちいずれか１項に記載のインプリント装置を用いて基板にパターンを形成する工程と、
前記工程でパターンを形成された前記基板を加工する工程と、
を含むことを特徴とする物品の製造方法。
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
液透過性シートと、液不透過性シートと、前記液透過性シート及び前記液不透過性シートの間の温感体とを備える温感物品であって、
前記温感体が布帛から構成され、ＴＲＰチャネルを活性化する温感剤と、溶媒とを含む温感溶液を含み、
前記温感物品が、生理用ナプキン、パンティーライナー、使い捨ておむつ及びショーツ型生理用ナプキンからなる群から選択される、
ことを特徴とする、前記温感物品。
【請求項２】
前記溶媒が、親油性溶媒である、請求項１に記載の温感物品。
【請求項３】
前記温感体の前記布帛の親油性度が、前記液透過性シートの親油性度よりも高い、請求項２に記載の温感物品。
【請求項４】
前記液透過性シートが布帛から構成されており、前記温感体の前記布帛の繊維密度が、前記液透過性シートの前記布帛の繊維密度よりも高い、請求項１〜３のいずれか一項に記載の温感物品。
【請求項５】
前記液透過性シートにおいて、３０ｇ／ｃｍ2の荷重時の厚さが、３ｇ／ｃｍ2荷重時の厚さの７０％以下である、請求項１〜４のいずれか一項に記載の温感物品。
【請求項６】
前記液透過性シートが開孔フィルムから構成されている、請求項１又は２に記載の温感物品。
【請求項７】
前記温感物品の厚さ方向において、前記温感物品の前記温感体と重複する領域の厚さが、前記温感物品の前記温感体と重複しない領域の厚さよりも厚い、請求項１〜６のいずれか一項に記載の温感物品。
【請求項８】
前記温感体を構成する前記布帛が、不織布、織布及び編物、並びにそれらの組み合わせからなる群から選択される、請求項１〜７のいずれか一項に記載の温感物品。
【請求項９】
前記液不透過性シートが、非透湿性フィルムを含む、請求項１〜８のいずれか一項に記載の温感物品。
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
可変表示を実行可能な遊技機であって、
演出表示手段と、
可変表示に対応する特定表示を前記演出表示手段に表示可能な特定表示手段と、
演出を制御する演出制御手段と、を備え、
前記特定表示手段は、前記特定表示を第１表示態様と該第１表示態様とは異なる第２表示態様とで表示可能であり、
前記演出制御手段は、
前記特定表示の表示態様が前記第１表示態様から前記第２表示態様に変化する際に、前記特定表示に作用する作用演出と、
前記演出表示手段の少なくとも一部の視認性を変化させる視認性変化演出と、
前記作用演出の実行を示唆する第１示唆演出と、該第１示唆演出とは異なる第２示唆演出と、を実行可能であり、
前記第２示唆演出を実行したときは、前記第１示唆演出を実行したときよりも高い割合で前記作用演出を実行可能であり、
前記作用演出を実行する際に前記視認性変化演出を実行可能である、
ことを特徴とする遊技機。
【手続補正２】
【補正対象書類名】明細書
【補正対象項目名】０００６
【補正方法】変更
【補正の内容】
【０００６】
前記課題を解決するために、本発明の手段１に記載の遊技機は、
可変表示を実行可能な遊技機（例えば、パチンコ遊技機１）であって、
演出表示手段（例えば、画像表示装置５）と、
可変表示に対応する特定表示を前記演出表示手段に表示可能な特定表示手段（例えば、アクティブ表示エリア８１ＳＧ５Ｆや、第１保留記憶表示エリア８１ＳＧ５Ｄや第２保留記憶表示エリア８１ＳＧ５Ｕに表示されている保留表示）と、
演出を制御する演出制御手段（例えば、演出制御用ＣＰＵ１２０）と、を備え、
前記特定表示手段は、前記特定表示を第１表示態様（例えば、白色）と該第１表示態様とは異なる第２表示態様（例えば、青色や赤色）とで表示可能であり、
前記演出制御手段は、
前記特定表示の表示態様が前記第１表示態様から前記第２表示態様に変化する際に、前記特定表示に作用する作用演出（例えば、図８−２７（Ｌ）に示すように、槍８１ＳＧ６０３がアクティブ表示エリア８１ＳＧ５Ｆに刺さる作用演出）と、
前記演出表示手段の少なくとも一部の視認性を変化させる視認性変化演出（例えば、図８−２７（Ｍ）や図８−２７（Ｎ）に示すように、画像表示装置５に表示されている画像全体を左右に振動させる振動表示演出）と、
前記作用演出の実行を示唆する第１示唆演出と、該第１示唆演出とは異なる第２示唆演出と、を実行可能であり、
前記第２示唆演出を実行したときは、前記第１示唆演出を実行したときよりも高い割合で前記作用演出を実行可能であり、
前記作用演出を実行する際に前記視認性変化演出を実行可能である（例えば、図８−２７（Ｌ）〜図８−２７（Ｎ）に示すように、アクティブ表示エリア８１ＳＧ５Ｆに槍８１ＳＧ６０３が刺さった後に画像表示装置５に表示されている画像全体が左右に振動する部分）ことを特徴としている。
この特徴によれば、演出効果を向上させることができ、遊技興趣を向上できる。
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
電子部品が実装される第１領域及び第２領域と、前記第１領域と前記第２領域との間に位置する領域であって前記第１領域及び前記第２領域よりも狭い接続領域とを有する実装基板を備え、
前記接続領域は、前記第１領域に実装された電子部品に第１電気信号を伝達するための第１信号パターン配線と、前記第２領域に実装された電子部品に第２電気信号を伝達するための第２信号パターン配線の各々に接続される複数の接続端子を有した、前記実装基板を他の基板と接続するためのコネクタを設けており、
前記接続領域に設けられる前記コネクタの前記第１領域側の端子に前記第１信号パターン配線が接続されるとともに前記第２領域側の端子に前記第２信号パターン配線が接続される、
ことを特徴とする遊技機。
【手続補正２】
【補正対象書類名】明細書
【補正対象項目名】０００６
【補正方法】変更
【補正の内容】
【０００６】
前記課題を解決するために、本発明の手段１の遊技機は、
遊技が可能な遊技機（例えば、パチンコ遊技機１）であって、
電子部品（例えば、モータ駆動用ＩＣ６０１、ＬＥＤ駆動用ＩＣ６０２等）が実装される第１領域及び第２領域と、前記第１領域と前記第２領域との間に位置する領域であって前記第１領域及び前記第２領域よりも狭い接続領域（例えば、接続領域２７５Ｃ）とを有する実装基板（例えば、ＬＥＤ基板２７５）を備え、
前記接続領域は、前記第１領域に実装された電子部品（例えば、モータ駆動用ＩＣ６０１）に第１電気信号（例えば、シリアル制御信号）を伝達するための第１信号パターン配線（例えば、パターン配線Ｌ２，Ｌ３）と、前記第２領域に実装された電子部品（例えば、ＬＥＤ駆動用ＩＣ６０２）に第２電気信号（例えば、シリアル制御信号）を伝達するための第２信号パターン配線（例えば、パターン配線Ｌ１１，Ｌ１２）の各々に接続される複数の接続端子を有した、前記実装基板を他の基板と接続するためのコネクタ（例えば、コネクタ６０３）を設けており、
前記接続領域に設けられる前記コネクタの前記第１領域側の端子に前記第１信号パターン配線が接続されるとともに前記第２領域側の端子に前記第２信号パターン配線が接続される（図２２参照）、
ことを特徴としている。
この特徴によれば、冗長な信号パターン配線を削減できるとともに、冗長な信号パターン配線によって生じるノイズ等による誤動作を防ぐことができる。
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
非特別状態と、当該非特別状態よりも有利な特別状態とに制御可能な状態制御手段と、
付与した遊技価値に関する特定表示を表示可能な特定表示手段と、
遊技媒体が通過可能な第１状態と、遊技媒体が通過困難な第２状態に変化可能な可変手段と、
前記可変手段の下流側に設けられ、遊技媒体が通過可能な所定可変手段と、
非特定開放パターンと、当該非特定開放パターンよりも前記所定可変手段に遊技媒体が流下し易い特定開放パターンとで、前記可変手段を制御可能な可変手段制御手段と、を備え、
前記状態制御手段は、前記特別状態として、第１特別状態と当該第１特別状態よりも有利な第２特別状態とに制御可能であり、
前記第２特別状態に制御されているときは、前記特定表示を表示可能であるとともに、前記可変手段が前記特定開放パターンで制御され易いことにより前記所定可変手段に遊技媒体が流下可能な状態となり、
前記第１特別状態に制御されているときは、前記特定表示を制限可能であるとともに、前記可変手段が前記非特定開放パターンで制御され易いことにより前記所定可変手段に遊技媒体が流下困難な状態となる、
ことを特徴とする遊技機。
【手続補正２】
【補正対象書類名】明細書
【補正対象項目名】０００９
【補正方法】変更
【補正の内容】
【０００９】
（手段Ａ）本発明による遊技機は、識別情報の可変表示を行い、遊技者にとって有利な有利状態（例えば、大当り遊技状態）に制御可能な遊技機であって、非特別状態（例えば、非ＫＴ状態）と、当該非特別状態よりも有利な特別状態（例えば、ＫＴ状態）とに制御可能な状態制御手段（例えば、遊技制御用マイクロコンピュータ５６０におけるステップＳ２２０８Ａ，Ｓ２２１１Ａ，Ｓ２２０９Ｂ，Ｓ２２１０Ｂ，Ｓ２２１３Ｂ，Ｓ２２１４Ｂを実行する部分）と、付与した遊技価値（例えば、賞球数）に関する特定表示（例えば、特定出玉表示８２）を表示可能な特定表示手段（例えば、演出制御用マイクロコンピュータ２００におけるステップＳ９７６Ｃ，Ｓ９７６Ｇ，Ｓ９７６Ｋ，Ｓ９７６Ｌを実行する部分）と、遊技媒体が通過可能な第１状態（例えば、開状態）と、遊技媒体が通過困難な第２状態（例えば、閉状態）に変化可能な可変手段（例えば、可変入賞球装置１５）と、可変手段の下流側に設けられ、遊技媒体が通過可能な所定可変手段（例えば、特殊可変入賞球装置２２）と、非特定開放パターンと、当該非特定開放パターンよりも所定可変手段に遊技媒体が流下し易い特定開放パターンとで、可変手段を制御可能な可変手段制御手段（例えば、遊技制御用マイクロコンピュータ５６０におけるステップＳ２６Ｃを実行することにより、図１５（１），（２）に示すように、可変入賞球装置１５を５．５秒または０．２秒開放状態に制御する部分）と、を備え、状態制御手段は、特別状態として、第１特別状態（例えば、第１ＫＴ状態）と当該第１特別状態よりも有利な第２特別状態（例えば、第２ＫＴ状態）とに制御可能であり、第２特別状態に制御されているときは、特定表示を表示可能である（例えば、図６８参照）とともに、可変手段が特定開放パターンで制御され易い（例えば、図１５（２）に示すように、可変入賞球装置１５が０．２秒間だけ開放される）ことにより、所定可変手段に遊技媒体が流下容易な状態となり、第１特別状態に制御されているときは、特定表示を制限可能である（例えば、図６８参照）、とともに、可変手段が非特定開放パターンで制御され易い（例えば、図１５（１）に示すように、可変入賞球装置１５が５．５秒間開放される）ことにより、所定可変手段に遊技媒体が流下困難な状態となる、ことを特徴とする。
（手段１）また、他の遊技機として、識別情報の可変表示を行い、遊技者にとって有利な有利状態（例えば、大当り遊技状態）に制御可能な遊技機であって、非特別状態（例えば、非ＫＴ状態）と、当該非特別状態よりも有利な特別状態（例えば、ＫＴ状態）とに制御可能な状態制御手段（例えば、遊技制御用マイクロコンピュータ５６０におけるステップＳ２２０８Ａ，Ｓ２２１１Ａ，Ｓ２２０９Ｂ，Ｓ２２１０Ｂ，Ｓ２２１３Ｂ，Ｓ２２１４Ｂを実行する部分）と、付与した遊技価値（例えば、賞球数）に関する特定表示（例えば、特定出玉表示８２）を表示可能な特定表示手段（例えば、演出制御用マイクロコンピュータ２００におけるステップＳ９７６Ｃ，Ｓ９７６Ｇ，Ｓ９７６Ｋ，Ｓ９７６Ｌを実行する部分）と、を備え、状態制御手段は、特別状態として、第１特別状態（例えば、第１ＫＴ状態）と当該第１特別状態よりも有利な第２特別状態（例えば、第２ＫＴ状態）とに制御可能であり、特定表示手段は、第２特別状態に制御されているときには特定表示を表示可能であり、第１特別状態に制御されているときには特定表示を制限可能である（例えば、図６８参照）、ことを特徴としてもよい。そのような構成によれば、特別状態に制御可能な遊技機において、演出を改善することができ、特別状態における遊技の興趣を向上させることができる。
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
遊技の進行に合わせて所定の演出を表示する演出表示装置と、
遊技の進行に合わせて所定の演出音を出力するスピーカと、
遊技者が操作可能な操作手段と
を備え、
所定の状況下においては、スピーカから出力されるＢＧＭを変更するためのＢＧＭ選択画面を演出表示装置に表示可能であり、
前記ＢＧＭ選択画面を表示している状況にて、操作手段が操作されることで、出力可能なＢＧＭの選択が可能であり、
前記ＢＧＭ選択画面を表示している状況にて、ＢＧＭの決定条件を満たすと、選択されているＢＧＭを決定可能であり、
前記ＢＧＭ選択画面を表示している状況にて、操作手段が操作され、ＢＧＭの選択が変更された場合には、選択されているＢＧＭの出力開始ポイントからＢＧＭを出力可能であり、
前記ＢＧＭ選択画面を表示している状況にて、ＢＧＭの決定条件を満たし、選択されているＢＧＭに決定した場合には、当該決定したＢＧＭの初めからＢＧＭを出力するよう構成されており、
前記ＢＧＭ選択画面を表示している状況にて、未だＢＧＭの決定条件が満たされず、ＢＧＭが決定されていないときに電源断が発生し、その後に電源復帰した場合、電源復帰でしか出力されない報知を実行するとともにＢＧＭの選択ができないよう構成され、
前記ＢＧＭ選択画面には、選択が可能なＢＧＭに対応する表示内容と、選択が不可能なＢＧＭに対応する表示内容とを表示可能であり、
前記選択が不可能なＢＧＭは、所定の条件を満たすことで選択が可能となり、その際は、新たに選択が可能となったことを示す表示内容にて前記ＢＧＭ選択画面に表示される
ことを特徴とする遊技機。
【手続補正２】
【補正対象書類名】明細書
【補正対象項目名】０００５
【補正方法】変更
【補正の内容】
【０００５】
本態様に係る遊技機は、
遊技の進行に合わせて所定の演出を表示する演出表示装置（例えば、演出表示装置ＳＧ）と、
遊技の進行に合わせて所定の演出音を出力するスピーカ（例えば、スピーカＤ２４）と、
遊技者が操作可能な操作手段（例えば、サブ入力ボタンＳＢ、十字キーＳＢ‐２）と、
を備え、
所定の状況下においては、スピーカから出力されるＢＧＭ｛例えば、ＢＧＭ（Ｂａｃｋ Ｇｒｏｕｎｄ Ｍｕｓｉｃ）、楽曲｝を変更するためのＢＧＭ選択画面を演出表示装置に表示可能であり、
前記ＢＧＭ選択画面を表示している状況にて、操作手段が操作されることで、出力可能なＢＧＭの選択が可能であり、
前記ＢＧＭ選択画面を表示している状況にて、ＢＧＭの決定条件を満たすと、選択されているＢＧＭを決定可能であり、
前記ＢＧＭ選択画面を表示している状況にて、操作手段が操作され、ＢＧＭの選択が変更された場合には、選択されているＢＧＭの出力開始ポイントからＢＧＭを出力可能であり、
前記ＢＧＭ選択画面を表示している状況にて、ＢＧＭの決定条件を満たし、選択されているＢＧＭに決定した場合には、当該決定したＢＧＭの初めからＢＧＭを出力するよう構成されており、
前記ＢＧＭ選択画面を表示している状況にて、未だＢＧＭの決定条件が満たされず、ＢＧＭが決定されていないときに電源断が発生し、その後に電源復帰した場合、電源復帰でしか出力されない報知を実行するとともにＢＧＭの選択ができないよう構成され、
前記ＢＧＭ選択画面には、選択が可能なＢＧＭに対応する表示内容と、選択が不可能なＢＧＭに対応する表示内容とを表示可能であり、
前記選択が不可能なＢＧＭは、所定の条件を満たすことで選択が可能となり、その際は、新たに選択が可能となったことを示す表示内容にて前記ＢＧＭ選択画面に表示される
ことを特徴とする遊技機である。
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
遊技の進行に合わせて所定の演出を表示する演出表示装置と、
遊技の進行に合わせて所定の演出音を出力するスピーカと、
遊技者が操作可能な操作手段と
を備え、
抽選に当選したことにより実行される特別遊技として、第１特別遊技と、第１特別遊技よりも有利な第２特別遊技とを有し、
所定の状況下においては、スピーカから出力されるＢＧＭを変更するためのＢＧＭ選択画面を演出表示装置に表示可能であり、
前記ＢＧＭ選択画面を表示している状況にて、操作手段が操作されることで、出力可能なＢＧＭの選択が可能であり、
前記ＢＧＭ選択画面を表示している状況にて、ＢＧＭの決定条件を満たすと、選択されているＢＧＭを決定可能であり、
前記ＢＧＭ選択画面を表示している状況にて、操作手段が操作され、ＢＧＭの選択が変更された場合には、選択されているＢＧＭの出力開始ポイントからＢＧＭを出力可能であり、
前記ＢＧＭ選択画面を表示している状況にて、ＢＧＭの決定条件を満たし、選択されているＢＧＭに決定した場合には、当該決定したＢＧＭの初めからＢＧＭを出力するよう構成されており、
前記ＢＧＭ選択画面を表示している状況にて、未だＢＧＭの決定条件が満たされず、ＢＧＭが決定されていないときに電源断が発生し、その後に電源復帰した場合、電源復帰でしか出力されない報知を実行するとともにＢＧＭの選択ができないよう構成され、
第１特別遊技中も、第２特別遊技中も、ＢＧＭの出力を可能とする一方で、第２特別遊技中は、前記ＢＧＭ選択画面を表示するが、第１特別遊技中は、前記ＢＧＭ選択画面を表示しない
ことを特徴とする遊技機。
【手続補正２】
【補正対象書類名】明細書
【補正対象項目名】０００５
【補正方法】変更
【補正の内容】
【０００５】
本態様に係る遊技機は、
遊技の進行に合わせて所定の演出を表示する演出表示装置（例えば、演出表示装置ＳＧ）と、
遊技の進行に合わせて所定の演出音を出力するスピーカ（例えば、スピーカＤ２４）と、
遊技者が操作可能な操作手段（例えば、サブ入力ボタンＳＢ、十字キーＳＢ‐２）と
を備え、
抽選に当選したことにより実行される特別遊技として、第１特別遊技と、第１特別遊技よりも有利な第２特別遊技とを有し、
所定の状況下においては、スピーカから出力されるＢＧＭ｛例えば、ＢＧＭ（Ｂａｃｋ Ｇｒｏｕｎｄ Ｍｕｓｉｃ）、楽曲｝を変更するためのＢＧＭ選択画面を演出表示装置に表示可能であり、
前記ＢＧＭ選択画面を表示している状況にて、操作手段が操作されることで、出力可能なＢＧＭの選択が可能であり、
前記ＢＧＭ選択画面を表示している状況にて、ＢＧＭの決定条件を満たすと、選択されているＢＧＭを決定可能であり、
前記ＢＧＭ選択画面を表示している状況にて、操作手段が操作され、ＢＧＭの選択が変更された場合には、選択されているＢＧＭの出力開始ポイントからＢＧＭを出力可能であり、
前記ＢＧＭ選択画面を表示している状況にて、ＢＧＭの決定条件を満たし、選択されているＢＧＭに決定した場合には、当該決定したＢＧＭの初めからＢＧＭを出力するよう構成されており、
前記ＢＧＭ選択画面を表示している状況にて、未だＢＧＭの決定条件が満たされず、ＢＧＭが決定されていないときに電源断が発生し、その後に電源復帰した場合、電源復帰でしか出力されない報知を実行するとともにＢＧＭの選択ができないよう構成され、
第１特別遊技中も、第２特別遊技中も、ＢＧＭの出力を可能とする一方で、第２特別遊技中は、前記ＢＧＭ選択画面を表示するが、第１特別遊技中は、前記ＢＧＭ選択画面を表示しない
ことを特徴とする遊技機である。
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
遊技の進行に合わせて所定の演出を表示する演出表示装置と、
遊技の進行に合わせて所定の演出音を出力するスピーカと、
遊技者が操作可能な操作手段と
を備え、
抽選に当選したことにより実行される特別遊技を有し、
特別遊技中においては、スピーカから出力されるＢＧＭを変更するためのＢＧＭ選択画面を演出表示装置に表示可能であり、
前記ＢＧＭ選択画面を表示している状況にて、操作手段が操作されることで、出力可能なＢＧＭの選択が可能であり、
前記ＢＧＭ選択画面を表示している状況にて、ＢＧＭの決定条件を満たすと、選択されているＢＧＭを決定可能であり、
前記ＢＧＭ選択画面を表示している状況にて、操作手段が操作され、ＢＧＭの選択が変更された場合には、選択されているＢＧＭの出力開始ポイントからＢＧＭを出力可能であり、
前記ＢＧＭ選択画面を表示している状況にて、ＢＧＭの決定条件を満たし、選択されているＢＧＭに決定した場合には、当該決定したＢＧＭの初めからＢＧＭを出力するよう構成されており、
前記ＢＧＭ選択画面を表示している状況にて、未だＢＧＭの決定条件が満たされず、ＢＧＭが決定されていないときに電源断が発生し、その後に電源復帰した場合、電源復帰でしか出力されない報知を実行するとともにＢＧＭの選択ができないよう構成され、
特別遊技が実行される場合でも、特別遊技が当選した際の遊技状態に応じて、特別遊技中にＢＧＭが選択できる場合と、特別遊技中にＢＧＭが選択できない場合とを有する
ことを特徴とする遊技機。
【手続補正２】
【補正対象書類名】明細書
【補正対象項目名】０００５
【補正方法】変更
【補正の内容】
【０００５】
本態様に係る遊技機は、
遊技の進行に合わせて所定の演出を表示する演出表示装置（例えば、演出表示装置ＳＧ）と、
遊技の進行に合わせて所定の演出音を出力するスピーカ（例えば、スピーカＤ２４）と、
遊技者が操作可能な操作手段（例えば、サブ入力ボタンＳＢ、十字キーＳＢ‐２）と
を備え、
抽選に当選したことにより実行される特別遊技を有し、
特別遊技中においては、スピーカから出力されるＢＧＭ｛例えば、ＢＧＭ（Ｂａｃｋ Ｇｒｏｕｎｄ Ｍｕｓｉｃ）、楽曲｝を変更するためのＢＧＭ選択画面を演出表示装置に表示可能であり、
前記ＢＧＭ選択画面を表示している状況にて、操作手段が操作されることで、出力可能なＢＧＭの選択が可能であり、
前記ＢＧＭ選択画面を表示している状況にて、ＢＧＭの決定条件を満たすと、選択されているＢＧＭを決定可能であり、
前記ＢＧＭ選択画面を表示している状況にて、操作手段が操作され、ＢＧＭの選択が変更された場合には、選択されているＢＧＭの出力開始ポイントからＢＧＭを出力可能であり、
前記ＢＧＭ選択画面を表示している状況にて、ＢＧＭの決定条件を満たし、選択されているＢＧＭに決定した場合には、当該決定したＢＧＭの初めからＢＧＭを出力するよう構成されており、
前記ＢＧＭ選択画面を表示している状況にて、未だＢＧＭの決定条件が満たされず、ＢＧＭが決定されていないときに電源断が発生し、その後に電源復帰した場合、電源復帰でしか出力されない報知を実行するとともにＢＧＭの選択ができないよう構成され、
特別遊技が実行される場合でも、特別遊技が当選した際の遊技状態に応じて、特別遊技中にＢＧＭが選択できる場合と、特別遊技中にＢＧＭが選択できない場合とを有する
ことを特徴とする遊技機である。
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
抽出対象から飲料液を抽出する抽出方法であって、
第一の姿勢の抽出容器において、前記抽出対象を液体に浸漬する浸漬工程と、
前記抽出容器の姿勢を第一の姿勢から第二の姿勢に変化させる姿勢変化工程と、
前記第二の姿勢の前記抽出容器の送出部から前記飲料液を送出する送出工程と、を含み、
前記姿勢変化工程における前記抽出容器は、前記送出部が閉鎖された状態であり、
前記送出工程では、前記抽出対象を通過させた前記飲料液を送出する、
ことを特徴とする抽出方法。
【請求項２】
請求項１に記載の抽出方法であって、
前記姿勢変化工程において、前記抽出容器は、前記第一の姿勢から前記第二の姿勢に変化する間に、第三の姿勢で停止する、
ことを特徴とする抽出方法。
【請求項３】
請求項１又は請求項２に記載の抽出方法であって、
前記飲料液は、コーヒーである、
ことを特徴とする抽出方法。
【請求項４】
抽出対象から飲料液を抽出する抽出装置であって、
前記抽出対象と液体が収容される抽出容器と、
前記抽出容器の送出部の開閉操作を行う操作ユニットと、
前記抽出容器の前記送出部が閉鎖された状態で、前記抽出容器の姿勢を前記送出部が上側を向く第一の姿勢から前記送出部が下側を向く第二の姿勢に変化させる姿勢変化ユニットと、を備え、
前記第二の姿勢の前記抽出容器の前記送出部から前記飲料液が送出される、
ことを特徴とする抽出装置。
【請求項５】
請求項４に記載の抽出装置であって、
前記飲料液は、コーヒーである、
ことを特徴とする抽出装置。
【手続補正２】
【補正対象書類名】明細書
【補正対象項目名】０００６
【補正方法】変更
【補正の内容】
【０００６】
本発明によれば、
抽出対象（例えば、焙煎コーヒー豆の挽き豆）から飲料液（例えば、コーヒー）を抽出する抽出装置であって、
前記抽出対象と液体が収容される抽出容器と、
前記抽出容器の送出部の開閉操作を行う操作ユニットと、
前記抽出容器の前記送出部が閉鎖された状態で、前記抽出容器の姿勢を前記送出部が上側を向く第一の姿勢から前記送出部が下側を向く第二の姿勢に変化させる姿勢変化ユニットと、を備え、
前記第二の姿勢の前記抽出容器の前記送出部から前記飲料液が送出される、
ことを特徴とする抽出装置が提供される。
【手続補正３】
【補正対象書類名】明細書
【補正対象項目名】０００７
【補正方法】変更
【補正の内容】
【０００７】
また、本発明によれば、
抽出対象（例えば、焙煎コーヒー豆の挽き豆）から飲料液（例えば、コーヒー）を抽出する抽出方法であって、
第一の姿勢の抽出容器において、前記抽出対象を液体に浸漬する浸漬工程と、
前記抽出容器の姿勢を第一の姿勢から第二の姿勢に変化させる姿勢変化工程と、
前記第二の姿勢の前記抽出容器の送出部から前記飲料液を送出する送出工程と、を含み、
前記姿勢変化工程における前記抽出容器は、前記送出部が閉鎖された状態であり、
前記送出工程では、前記抽出対象を通過させた前記飲料液を送出する、
ことを特徴とする抽出方法が提供される。
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
遊技の進行を制御する遊技制御手段と、
前記遊技制御手段からの指示に応じて映像を表示する演出装置を制御する演出制御手段と、を備え、
前記演出制御手段は、
前記映像の表示面を構成する素材画像データが予め格納されている常時記憶手段と、
前記遊技制御手段からの指示に応じ映像を表示制御するための第１演出制御データを選択する演出制御データ選択手段と、
前記素材画像データのうち前記第１演出制御データにもとづいて表示面単位での素材画像データを一時的に記憶する一時記憶手段と、
前記常時記憶手段もしくは前記一時記憶手段から読み出した素材画像データを前記演出装置に表示する画像データとして記憶する表示面画像記憶手段と、
前記表示面画像記憶手段に記憶した画像データを前記演出装置に出力する画像表示制御手段と、
所定表示面分の素材画像データを常時記憶手段から読み出して、前記一時記憶手段に配置させる一方、前記第１演出制御データと前記一時記憶手段に配置された素材画像データにもとづいて第２演出制御データを構築する再構築手段と、
を備え、
前記演出制御データ選択手段により前記第１演出制御データを選択してから、前記再構築手段により前記第２演出制御データを構築するまでの期間は固定期間である
ことを特徴とする遊技機。
【手続補正２】
【補正対象書類名】明細書
【補正対象項目名】０００６
【補正方法】変更
【補正の内容】
【０００６】
上述した目的を達成するため、本発明は、遊技の進行を制御する遊技制御手段と、前記遊技制御手段からの指示に応じて映像を表示する演出装置を制御する演出制御手段と、を備え、前記演出制御手段は、前記映像の表示面を構成する素材画像データが予め格納されている常時記憶手段と、前記遊技制御手段からの指示に応じ映像を表示制御するための第１演出制御データを選択する演出制御データ選択手段と、前記素材画像データのうち前記第１演出制御データにもとづいて表示面単位での素材画像データを一時的に記憶する一時記憶手段と、前記常時記憶手段もしくは前記一時記憶手段から読み出した素材画像データを前記演出装置に表示する画像データとして記憶する表示面画像記憶手段と、前記表示面画像記憶手段に記憶した画像データを前記演出装置に出力する画像表示制御手段と、所定表示面分の素材画像データを常時記憶手段から読み出して、前記一時記憶手段に配置させる一方、前記第１演出制御データと前記一時記憶手段に配置された素材画像データにもとづいて第２演出制御データを構築する再構築手段と、を備え、前記演出制御データ選択手段により前記第１演出制御データを選択してから、前記再構築手段により前記第２演出制御データを構築するまでの期間は固定期間であることを特徴とする遊技機。
2
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
ユーザが操作対象キャラクタに関する操作をしながら所定のシナリオを進行させるモードを含むゲームを管理するゲーム管理装置であって、
前記シナリオの進行中にイベントを発生させるためのキャラクタであって、当該シナリオの進行中において前記ユーザの操作対象ではないイベント発生用キャラクタを、前記ユーザに関連付けて管理する管理手段と、
前記ユーザに関連付けられた複数の前記イベント発生用キャラクタの中から当該ユーザによって選択された少なくとも１つのイベント発生用キャラクタを設定する設定手段と、
前記設定手段によって設定された前記イベント発生用キャラクタに応じた特定のイベントを前記シナリオの進行中に発生させるイベント管理手段と、を備え、
前記管理手段は、前記ユーザが遊戯内容に応じて入手した前記イベント発生用キャラクタを、当該ユーザに関連付けるゲーム管理装置。
【請求項２】
前記ユーザが入手した前記イベント発生用キャラクタとは、複数の抽選対象キャラクタの中から抽選により決定された前記イベント発生用キャラクタを当該ユーザが入手したものである請求項１に記載のゲーム管理装置。
【請求項３】
前記ユーザが入手した前記イベント発生用キャラクタとは、当該ユーザが行ったゲームプレイの報酬として入手したものである請求項１に記載のゲーム管理装置。
【請求項４】
前記ユーザが入手した前記イベント発生用キャラクタとは、他のユーザから前記イベント発生用キャラクタを受け取ることにより入手したものである請求項１に記載のゲーム管理装置。
【請求項５】
前記ユーザに関連付けることができる前記イベント発生用キャラクタの数は、前記設定手段における前記イベント発生用キャラクタの設定可能数よりも大きい請求項１ないし４の何れか１項に記載のゲーム管理装置。
【請求項６】
コンピュータを請求項１ないし５の何れか１項に記載のゲーム管理装置として動作させるためのプログラムであって、前記コンピュータを前記ゲーム管理装置が備えている各手段として機能させるためのプログラム。
【手続補正２】
【補正対象書類名】明細書
【補正対象項目名】発明の名称
【補正方法】変更
【補正の内容】
【発明の名称】ゲーム管理装置及びプログラム
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
遊技が可能な遊技機であって、  
遊技者が接触不可能に設けられ、原点位置から進出位置に動作可能な第１可動体と、
遊技者が接触可能に設けられ、原点位置から進出位置に動作可能な第２可動体と、
前記第２可動体が原点位置にあるか否かの監視を行う監視手段と、を備え、
第１条件が成立したことにもとづいて前記第１可動体の動作を制限し、
前記第１条件とは異なる第２条件が成立したことにもとづいて前記第２可動体の動作を制限する、
ことを特徴とする遊技機。
【手続補正２】
【補正対象書類名】明細書
【補正対象項目名】０００６
【補正方法】変更
【補正の内容】
【０００６】
（１）上記目的を達成するため、本願発明に係る遊技機は、  
遊技が可能な遊技機（例えば、パチンコ遊技機など）であって、  
遊技者が接触不可能に設けられ、原点位置から進出位置に動作可能な第１可動体（例えば、  第１演出可動体３００など）と、
遊技者が接触可能に設けられ、原点位置から進出位置に動作可能な第２可動体（例えば、外部可動体８１０など）と、
前記第２可動体が原点位置にあるか否かの監視を行う監視手段と、をを備え、
第１条件が成立したこと（例えば、原点復帰の動作回数であれば３回に到達したこと、原点復帰の動作期間であれば３０秒に到達したことなど）にもとづいて前記第１可動体の動作を制限し、
前記第１条件とは異なる第２条件が成立したこと（例えば、原点復帰の動作回数であれば１０回に到達したこと、原点復帰の動作期間であれば１００秒に到達したことなど）にもとづいて前記第２可動体の動作を制限する、
ことを特徴とする。  
この構成によれば、適切な可動体の制御を行うことができる。
【手続補正書】
【提出日】令和1年9月19日(2019.9.19)
【手続補正１】
【補正対象書類名】特許請求の範囲
【補正対象項目名】請求項１
【補正方法】変更
【補正の内容】
【請求項１】
筒状部（１２１）を有する空調装置用ドアの製造方法において、
前記筒状部の内側を形成する棒状の内側金型（７３）と、前記内側金型に向かって突出しており、棒状の前記内側金型の外周面に沿った先端形状である凸部（１７１、１７２、２７２、３７２、４７２）を有して前記筒状部の外側を形成する外側金型（７１、７２）とを所定の位置に配置して金型を組み合わせる型締め工程と、
型締めされた前記内側金型と前記外側金型との間に形成された空洞部（７６）に樹脂部材を射出する射出工程とを含み、
前記型締め工程では、前記内側金型と前記外側金型の前記凸部とを接触させた状態で配置し、
前記射出工程では、前記内側金型は、前記樹脂部材の射出により押される射出圧を受けるとともに、前記射出圧に対して抗するように前記内側金型を押し返す押圧力を前記凸部から受ける空調装置用ドアの製造方法。
【手続補正２】
【補正対象書類名】明細書
【補正対象項目名】０００７
【補正方法】変更
【補正の内容】
【０００７】
ここに開示された空調装置用ドアの製造方法は、筒状部の内側を形成する棒状の内側金型（７３）と、内側金型に向かって突出しており、棒状の内側金型の外周面に沿った先端形状である凸部（１７１、１７２、２７２、３７２、４７２）を有して筒状部の外側を形成する外側金型（７１、７２）とを所定の位置に配置して金型を組み合わせる型締め工程と、型締めされた内側金型と外側金型との間に形成された空洞部（７６）に樹脂部材を射出する射出工程とを含み、型締め工程では、内側金型と外側金型の凸部とを接触させた状態で配置し、射出工程では、内側金型は、樹脂部材の射出により押される射出圧を受けるとともに、射出圧に対して抗するように内側金型を押し返す押圧力を凸部から受ける。
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
筒状を呈し、底部を有する断熱容器と、
前記断熱容器の内周面に沿って配置された前記蓄熱材と、
前記断熱容器に着脱自在に装着され、前記蓄熱材に蓄熱温調処理を行う温調部と、を備え、
前記温調部は、
前記断熱容器に装着された状態において前記蓄熱材に蓄熱温調処理を行う伝熱体を有することを特徴とする搬送装置。
【請求項２】
前記伝熱体は、前記温調部が前記断熱容器に装着された状態において前記蓄熱材の内周面に対向するように形成されること、
を特徴とする請求項１に記載の搬送装置。
【請求項３】
前記蓄熱材の温度を計測する第１の温度センサを更に備え、
前記温調部は、前記第１の温度センサの計測信号に基づいて前記伝熱体の温度を調節するコントローラを有すること、
を特徴とする請求項１又は２に記載の搬送装置。
【請求項４】
前記伝熱体の温度を計測する第２の温度センサを更に備え、
前記コントローラは、更に前記第２の温度センサの計測信号に基づいて前記伝熱体の温度を調節すること、
を特徴とする請求項３に記載の搬送装置。
【請求項５】
前記温調部は、前記伝熱体を冷却する電子冷却素子を有すること、
を特徴とする請求項１〜４のいずれか一項に記載の搬送装置。
【請求項６】
前記温調部は、更に、前記伝熱体の内側に形成されて収納物を出し入れ自在に収納する収納空間を有すること、を特徴とする請求項１〜５のいずれか一項に記載の搬送装置。
【請求項７】
前記温調部は、前記収納空間を開閉自在に閉塞する蓋を有すること、
を特徴とする請求項６に記載の搬送装置。
【請求項８】
前記コントローラは、前記伝熱体に対して、
前記蓄熱材における前記伝熱体とは反対側の温度が前記蓄熱材に応じた第１温度になるまで前記蓄熱材に蓄熱処理を行う第１処理と、
蓄熱処理された前記蓄熱材における前記伝熱体側の温度が前記搬送物の搬送に適した第２温度になるように前記蓄熱材に温調処理を行う第２処理と、
前記蓄熱材が前記第２温度を保持するように前記蓄熱材を保温する第３処理と、
を実行させることを特徴とする請求項４に記載の搬送装置。
【請求項９】
筒状を呈し、底部を有する断熱容器と、
前記断熱容器に着脱自在に装着され、前記断熱容器の内周面に沿って配置された蓄熱材に蓄熱温調処理を行う温調部と、を備え、
前記温調部は、前記断熱容器に装着された状態において前記蓄熱材に蓄熱温調処理を行う伝熱体を有することを特徴とする搬送装置。
【請求項１０】
前記温調部は、更に、前記伝熱体の内側に形成されて収納物を出し入れ自在に収納する収納空間を有すること、を特徴とする請求項９に記載の搬送装置。